(57)【特許請求の範囲】
【請求項１】
複数のネットワークのうちのいずれか１つに関連付けられた、セルラ無線電気通信用の移動ユーザ端末を、センサ（３２、３４、３６）が感知する方法であって、
複数の搬送周波数帯域の各々で共通信号（１）をブロードキャストするステップと、
前記ユーザ端末が、そのネットワークの関連付けられた搬送周波数帯域において前記信号を受信するステップと、
前記ユーザ端末が、受信した信号において情報を確認するステップと、
前記情報が前記センサへの接続を許可するのに受け入れ可能であると判断すると、前記ユーザ端末が、前記センサに前記信号のその受信を肯定応答するステップと
を含む前記方法において、
前記複数のネットワークの各々のネットワークが、無線信号のための別個の搬送周波数帯域を有し、前記共通信号が、共通ベースバンド信号であることを特徴とする、
方法。
【請求項２】
前記情報が、前記ユーザ端末があらかじめ構成されて前記センサへの接続のために受け入れ可能であるとみなす、識別子を含み、前記識別子が、前記複数のネットワークの各々の共通識別子である、請求項１に記載の方法。
【請求項３】
前記識別子が、ユニバーサルＰＬＭＮ識別子である、請求項２に記載の方法。
【請求項４】
各主要なスクランブル・コードが前記ネットワークのうちの対応するそれぞれ１つに関連付けられた、異なる主要なスクランブル・コードをそれぞれ含む信号（図７：１０６）を発生させ、それらの信号をブロードキャスト用に前記共通信号（図７Ａ：１）として結合することによって、前記共通信号を発生させる、請求項１に記載の方法。
【請求項５】
確認するための前記情報を提供するために、前記信号を受信する前記ユーザ端末が、前記ユーザ端末が割り当てられたネットワークに関連付けられた前記主要なスクランブル・コードを使用して、前記受信した信号を復号化する前記ユーザ端末を含む、請求項４に記載の方法。
【請求項６】
前記情報が、前記ユーザ端末が関連付けられた前記ネットワークのＰＬＭＮ識別子である、請求項５に記載の方法。
【請求項７】
複数のネットワークのうちのいずれか１つに関連付けられた、セルラ無線電気通信用の移動ユーザ端末を感知するように構成されたセンサ（３２、３４、３６）であって、
前記センサが、複数の搬送周波数帯域の各々で共通信号（図３Ａ：１）をブロードキャストするように構成されており、
ユーザ端末が、そのネットワークの関連付けられた搬送周波数帯域において前記信号を受信し、受信した信号において情報を確認し、前記情報が前記センサへの接続を許可するのに受け入れ可能であると判断し、肯定応答を送信すると、前記ユーザ端末から前記肯定応答を受信するように構成された前記センサにおいて、
前記搬送周波数帯域が、無線信号のための別個の搬送周波数帯域を有するネットワークごとに別個であり、前記共通信号が、共通ベースバンド信号であることを特徴とする、
センサ。
【請求項８】
前記情報が、前記ユーザ端末があらかじめ構成されて前記センサへの接続のために受け入れ可能であるとみなす、識別子を含み、前記識別子が、前記複数のネットワークの各々の共通識別子である、請求項７に記載のセンサ。
【請求項９】
前記識別子が、ユニバーサルＰＬＭＮ識別子である、請求項８に記載のセンサ。
【請求項１０】
各主要なスクランブル・コードが前記ネットワークのうちの対応するそれぞれ１つに関連付けられた、異なる主要なスクランブル・コードをそれぞれ含む信号を発生させるように構成されたトランシーバおよび無線機回路（１０６、１０８、１１４）、ならびにそれらの信号をブロードキャスト用に前記共通信号（図７Ａ：１）として結合するように構成された結合器によって、前記共通信号を発生させる、請求項７に記載のセンサ。
【請求項１１】
複数のネットワークのうちのいずれか１つに関連付けられた、セルラ無線電気通信用の移動ユーザ端末であって、
前記ユーザ端末が、そのネットワークの関連付けられた搬送周波数帯域において、複数の搬送周波数帯域の各々でブロードキャストされた共通信号（１）を受信するように構成されており、
受信した信号において情報を確認し、前記情報がセンサ（３２、３４、３６）への接続を許可するのに受け入れ可能であると判断すると、前記センサに前記信号のその受信を肯定応答するように構成された前記ユーザ端末において、
前記搬送周波数帯域が、無線信号のための別個の搬送周波数帯域を有するネットワークごとに別個であり、前記共通信号が、共通ベースバンド信号であることを特徴とする、
セルラ無線電気通信用の移動ユーザ端末。
【請求項１２】
前記情報が、識別子を含み、前記ユーザ端末が、あらかじめ構成されて前記識別子を前記センサへの接続のために受け入れ可能であるとみなし、前記識別子が、前記複数のネットワークの各々の共通識別子である、請求項１１に記載のセルラ無線電気通信用の移動ユーザ端末。
【請求項１３】
前記識別子が、ユニバーサルＰＬＭＮ識別子である、請求項１２に記載のセルラ無線電気通信用の移動ユーザ端末。
【請求項１４】
前記ユーザ端末が、確認するための前記情報を提供するために、前記ユーザ端末が割り当てられたネットワークに関連付けられた主要なスクランブル・コードを使用して、前記受信した信号を復号化するように構成されており、
前記受信した信号が、各主要なスクランブル・コードが前記ネットワークのうちの対応するそれぞれ１つに関連付けられた、異なる主要なスクランブル・コードをそれぞれ含む信号を発生させ、それらの信号を共通信号として結合することによって発生させた、前記共通信号（図７Ａ：１）である、
請求項１１に記載のセルラ無線電気通信用の移動ユーザ端末。
【請求項１５】
前記情報が、前記ユーザ端末が関連付けられたネットワークのＰＬＭＮ識別子である、請求項１４に記載の移動ユーザ端末。
【発明の詳細な説明】
【技術分野】
【０００１】
本発明は、電気通信に関し、詳細には、ワイヤレス電気通信に関する。
【背景技術】
【０００２】
移動電話の近距離センサが知られている。数ミリメートルから数メートルの範囲を有して、センサは、近づいて来る移動電話を識別し、認証することができる。センサはまた、移動電話による支払い、またはアクセス制御などのアプリケーションのためのアプリケーション・プログラマ・インターフェースを提供するプラットフォームである。たとえば、レジ付近の支払いのためのエリアに設置されたセンサの上または付近に移動電話を単に置くことによって、支払いを行うことができ、ユーザは、移動電話に送信されたショート・メッセージ・サービス（ＳＭＳ）メッセージによって、正常な支払いを通知される。アクセス制御については、移動電話を使用して、たとえば、自動車または家のドアを施錠／解錠することができる。
【０００３】
ユーザ端末にサービスを提供するための候補として、ユーザ端末によってセルラ基地局が検出されるとき、とりわけ、ユーザ端末は、基地局の公衆地上移動体ネットワーク（ＰＬＭＮ）識別子を検査する。ＰＬＭＮは、異なるネットワーク・オペレータに属するネットワークによって異なり、いくつかのケースでは、特定のＰＬＭＮを有するネットワークが、ユーザ端末に対して禁じられ、またはユーザ端末について制限され、たとえば、他に適する候補のネットワークが存在しない場合のみ使用を考慮されることになる。
【発明の概要】
【課題を解決するための手段】
【０００４】
読者は、添付の独立請求項を参照されたい。いくつかの好ましい特徴は、従属請求項において説明される。
【０００５】
本発明の例は、セルラ無線電気通信用の移動ユーザ端末を、センサが感知する方法であり、ユーザ端末は、各ネットワークが無線信号のための別個の搬送周波数帯域を有する、複数のネットワークのうちのいずれか１つに関連付けられている。方法は、複数の搬送周波数帯域の各々で共通信号をブロードキャストするステップと、ユーザ端末が、そのネットワークの関連付けられた搬送周波数帯域において信号を受信するステップと、ユーザ端末が、受信した信号において情報を確認するステップと、情報がセンサへの接続を許可するのに受け入れ可能であると判断すると、ユーザ端末が、センサに信号のその受信を肯定応答するステップとを含む。
【０００６】
いくつかの実施形態において、センサは、小規模であってよいセルラ基地局であり、各ネットワークが異なる搬送周波数帯域を使用する、複数の異なる移動ネットワーク・オペレータのいずれかのユーザ端末と連携する。
【０００７】
いくつかの実施形態は、通常割り当てられる搬送周波数帯域を使用するユーザ端末に対する、センサによる送信（「ダウンリンク」）、およびセンサにおける受信（「アップリンク」）の両方のための共通ベースバンド信号を使用する。
【０００８】
いくつかの実施形態は、複数の搬送波で放射された共通ベースバンド信号を伴う。送信では、ベースバンド信号が複製されてよい。受信では、複数の搬送波が単一の搬送波の上に結合され、ベースバンド処理のための単一の信号として提示されてよい。
【０００９】
いくつかの実施形態において、ベースバンド信号におけるＰＬＭＮ識別子が、複数のネットワークのうちのいずれかに関連付けられたユーザ端末に受け入れ可能であるように、設定される。
【００１０】
いくつかの実施形態において、センサは、フェムトセル基地局などの小規模なセル基地局であり、複数のネットワーク／ネットワーク・オペレータのうちのいずれかに関連付けられたユーザ端末を感知することができる。
【００１１】
次に本発明の実施形態を、例として、および図面を参照して説明する。
【図面の簡単な説明】
【００１２】
【図１】移動電話の知られている複数搬送波信号センサ（先行技術）を示す図である。
【図１Ａ】移動電話の知られている複数搬送波（先行技術）を示す図である。
【図２】移動電話の別の知られている複数搬送波信号センサ（先行技術）を示す図である。
【図２Ａ】移動電話の別の知られている複数搬送波（先行技術）を示す図である。
【図３】本発明の第１の実施形態による移動電話の複数搬送波信号センサを示す図である。
【図３Ａ】本発明の第１の実施形態による移動電話の複数搬送波を示す図である。
【図４】図３に示す複数搬送波信号センサをより詳細に示す図である。
【図５】図３および図４に示すセンサの無線機および複製回路をより詳細に示す図である。
【図６】単一のベースバンド信号のデジタル複製に基づいた、第２の実施形態による移動電話ための複数搬送波信号センサを示す図である。
【図６Ａ】単一のベースバンド信号のデジタル複製に基づいた、第２の実施形態による移動電話ための複数搬送波を示す図である。
【図７】別々のスクランブル・コードを有する信号が結合されて、複数の搬送波帯域で送信される信号を形成する、第３の実施形態による移動電話のための複数搬送波信号センサを示す図である。
【図７Ａ】別々のスクランブル・コードを有する信号が結合されて、複数の搬送波帯域で送信される信号を形成する、第３の実施形態による移動電話のための複数搬送波を示す図である。
【発明を実施するための形態】
【００１３】
移動電話の知られているセンサについて検討しているとき、本発明者は、移動電話が、関連した搬送周波数帯域をそれぞれ有するさまざまなネットワークのうちのいずれかに属し得ること、それにより、知られているセンサは、その独自の周波数帯域をそれぞれ有する複数の異なる搬送波信号を検出するように構成されていることを認識した。本発明の実施形態に移る前に、以下で知られているシステムの２つの例を説明する。
【００１４】
図１に示すように、１つの知られている手法は、センサ１０を単に有することであり、ここでは、ベースバンド・ユニット１２が複数の信号１４を提供し、複数の信号１４の各々が、それぞれのパス１６を取って、それぞれのデジタル／アナログ・コンバータ１８およびそれぞれの無線機２０を通り抜ける。パスは次いで、信号が単一のアンテナ２２によって送信されるように、結合される。この例では、Ｎ個（１、２、３・・・Ｎで表す）の信号１４があり、したがって、Ｎ個のパス１６がある。関連した図１ａに示すように、それぞれの周波数帯域を各々が有するＮ個の搬送波信号は、それぞれ異なる。
【００１５】
本発明者は、ベースバンド・ユニット１２が複雑であり、上で説明したように送信方向におけるＮ個のデータストリームを、また、対応する受信方向におけるＮ個のデータストリームの、両方の取り扱いを必要とされることを認識した。
【００１６】
図２に示すように、別の知られている手法は、単一のアンテナ２８に接続された単一のデジタル／アナログ・コンバータ２４および単一の無線機２６を介して、ベースバンド・ユニット２２からの広帯域ベースバンド信号を処理することである。図２に示すように、Ｎ個の異なる信号は、ベースバンド・ユニット２２によって生成され、デジタルからアナログに変換され、異なる周波数帯域をそれぞれ有するＮ個の信号を取り扱うことができる無線機２６を通って渡される。
【００１７】
本発明者は、この先行技術の手法では、ベースバンド・ユニットが複雑であり、上で説明したように送信方向おけるＮ個のデータストリームの、また、対応する受信方向におけるＮ個のデータストリームの、両方の取り扱いを必要とされることを認識した。実際には、ベースバンド・ユニットは、たとえば６０ＭＨｚで送信のための信号および受信した信号を処理するために、高い入力／出力帯域幅のベースバンド・プロセッサを必要とすることになる。
【００１８】
本発明者は、共通ベースバンド信号による複数の搬送周波数帯域（「搬送波」）を有するセンサを、移動ユーザ端末に提供することが可能であることを認識した。共通ベースバンド信号は、すべての送信搬送周波数帯域で送信される。それに応じて、複数の受信搬送周波数帯域が受信され、ダウンコンバートされ、加算されて、単一のベースバンド信号を提供する。
【００１９】
本発明者は、搬送波の間で共通ベースバンド信号を利用することは、フェムトセルに基づいたセンサが、さまざまな搬送波帯域のうちのいずれかで動作していてよいユーザ端末を識別するための単純なやり方であることを認識した。それはまた、ユーザ端末のそれぞれのネットワークに割り当てられた搬送周波数でユーザ端末と通信することを可能にする。
【００２０】
本発明者は、複数の搬送波で送信された共通信号が、複数の公衆地上移動体ネットワークのいずれかからのユーザ端末を引き寄せるはずであり、その結果、ユーザ端末がセンサに結び付くことを認識した。センサは次いで、ユーザによる支払い、ユーザへのアクセス制御、たとえば、自動車ドアの解錠などのサービスを可能にすることができる。
【００２１】
次に、４つの例を説明する。第１および第２の例では、ネットワークによってあらかじめユーザ端末に伝達されている共通ＰＬＭＮ識別子が、すべての搬送波で送信される。そのＰＬＭＮ識別子は、センサからの検出時にセンサへの結び付きをトリガするために、ユーザ端末に受け入れ可能である。第３および第４の例では、異なるスクランブル・コードが適用されるネットワークからの信号が、複数の搬送波で送信される単一の複合ベースバンド信号を形成する。
【００２２】
アナログ処理および共通ＰＬＭＮ識別子を伴うセンサ
図３に示すように、センサ３０は、無線機および複製回路３４に接続されたトランシーバ３２を含む。回路３４は、近接場アンテナ３６に接続されている。トランシーバ３２は、ベースバンド・ユニット３８と、デジタル／アナログ・コンバータ・ブロック４０とを含む。
【００２３】
図４により詳細に示すように、ベースバンド・ユニット３８は、コンバータ・ブロック４０のデジタル／アナログ・コンバータ４２に接続されており、デジタル／アナログ・コンバータ４２は、周波数アップコンバータ４４に接続されている。周波数アップコンバータは、無線機および複製回路３４のアナログ送信回路４６に接続されている。無線機および複製回路３４はまた、周波数ダウンコンバータ５０に接続されたアナログ受信回路４８を含み、周波数ダウンコンバータ５０は、アナログ／デジタル・コンバータ５２を介して、ベースバンド・ユニット３８に接続されている。
【００２４】
アンテナ３６側では、アナログ送信回路４６およびアナログ受信回路４８が、アンテナ３６に接続されたデュプレクサ５４に接続されている。デュプレクサ５４は、無線での送信する、または受信処理する前の信号を調整する。
【００２５】
使用中、ベースバンド・ユニット３８は、（単一の）ベースバンド信号をデジタル／アナログ・コンバータ４２に提供し、デジタル／アナログ・コンバータ４２からの出力信号が、周波数アップコンバータ４４によってアップコンバートされて、ＲＦ搬送波帯域で（単一の）信号を提供する。以下でより詳細に説明するように、アナログ送信回路４６は、デュプレクサ５４への複数の搬送波（この例では５つ）を生成する。各搬送波は、同じベースバンド信号を含む。
【００２６】
使用中、ベースバンド・ユニット３８に与えられる受信信号が、複数の搬送波から生成される。以下でより詳細に説明するように、アンテナは、複数の搬送波帯域（この例では５つ）で受信し、これらがアナログ受信回路４８によって処理されて単一のＲＦ搬送波信号になり、このＲＦ搬送波信号が、ダウンコンバータ５０によって周波数ダウンコンバートされて、Ａ−ｔｏ−Ｄコンバータ５２によってデジタル化され、ベースバンド・ユニット３８に入力される。
【００２７】
図３ａに示すように、単一のベースバンド信号は、送信のために複数の搬送波にわたって複製され、受信側では、別々の搬送波の複数のアナログ信号が結合されて、単一のベースバンド信号を生成する。ベースバンド・ユニット３８には、個々のアップリンク送信がすべて共通搬送波で受信されたように見える。アップリンク・コードの割り当ては、コード・ドメインにおいて個々のユーザへのトラフィックを区別するために、従来のやり方で行われる。
【００２８】
共通ＰＬＭＮ識別子
ユーザ端末にサービスを提供するための候補として、ユーザ端末によってセルが検出されるとき、とりわけ、ユーザ端末は、セルのＰＬＭＮ識別子を検査する。さまざまなネットワーク・オペレータに関連付けられたユーザ端末に受け入れ可能であるベースバンド信号を作成するために、ネットワーク間を越えてユニバーサルに受け入れ可能なＰＬＭＮ識別子が含まれる。別の言い方をすれば、センサが使用されることになる国のさまざまなネットワークのすべてのユーザ端末に受け入れ可能である、ＰＬＭＮ識別子が含まれる。
【００２９】
このユニバーサルＰＬＭＮ識別子は、登録エリアの更新の間に、ネットワークによってユーザ端末に伝達され、それ以降、ユーザ端末は、そのＰＬＭＮが接続に適したものであるとみなす。ハンドオーバ（ユーザ端末がアクティブモードにあるとき）、またはセル再選択（ユーザ端末がアイドルモードにあるとき）であり得る、そのような接続を支援するために、ネットワークは、センサのアイデンティティを通知され、それにより、たとえば、セル再選択／ハンドオーバのために近傍としてのセンサへの参照を含むように、付近のセルの近傍リストが更新される。
【００３０】
無線機および複製回路
無線機および複製回路３４を、図５により詳細に示す。
【００３１】
図５に示すように、この例では２１１２．５ＭＨｚを中心とした、トランシーバ３２からの変調された送信信号は、ＶＣＯ１で表す電圧制御発振器（ＶＣＯ）およびミキサ５６によって、たとえば、１６７ＭＨｚの共通中間周波数（ＩＦ）信号にダウンコンバートされる。これは、ＶＣＯ１からの連続波信号が１９４５．５ＭＨｚの周波数で動作することを意味する。ＩＦ信号は次いで、ＩＦフィルタ５８によってフィルタリングされて不要な混合生成物を取り除き、ＩＦ利得ブロック６０によって増幅されてダウンコンバージョンによるロスを埋め合わせ、電力分配器６２によって均等電力の５つの信号に分割される。これらの５つのＩＦ信号は次いで、それぞれのミキサ６４および電圧制御発振器ＶＣＯ２からＶＣＯ６を使用することによって、各々がアップコンバートされて、所望の周波数の搬送波を提供する。２１１０から２１７０ＭＨｚのダウンリンク周波数を達成するために、ＶＣＯ２からＶＣＯ６は、それらのそれぞれの連続波出力を、２２７９．５から２３３４．５ＭＨｚ範囲に同調させる。このようにして、最初に２１１２．５ＭＨｚを中心としていた送信ベースバンド信号は、５つの異なる周波数搬送波で複製される。各複製された搬送波の実際の周波数は、それぞれの電圧制御発振器ＶＣＯ２からＶＣＯ６によって制御される。
【００３２】
複製された送信信号は次いで、それぞれのＲＦフィルタ６６によってフィルタリングされ、それぞれのＲＦ利得ブロック６８によって増幅されて、不要な相互変調生成物およびコンバージョン・ロスを埋め合わせる。送信のための信号の電力は、それぞれの減衰器７０によって制御される。結果としての信号は、電力結合器７２において結合され、次いで電力増幅器７４を介し、デュプレクサ／サーキュレータ（図示せず）を通って、広く放射しない（「非放射」）近接場要素であるアンテナ３６へと渡される。
【００３３】
受信に関しては、５つまでの異なる周波数搬送波を含む、アンテナ３６からの受信信号が、デュプレクサ／サーキュレータ（図示せず）、低雑音増幅器７４、ＲＦフィルタ７６を介して渡され、電力分配器７８によって均等電力の５つの信号に分割される。ミキサ８０、および送信用と同じ電圧制御発振器ＶＣＯ２からＶＣＯ６を使用し、１９２０から１９８０ＭＨｚとなるアップリンク周波数範囲を取って、３５７ＭＨｚを中心とした５つのＩＦ信号を作成する。５つの信号は、それぞれのＲＦフィルタ８２によってフィルタリングされ、それぞれのＲＦ利得ブロック８４によって増幅されて、その後電力結合器８６に供給される。（別の類似した例では、追加の電力制御のために、ＲＦ利得ブロックと電力結合器との間のそれぞれ３５７ＭＨｚ信号分岐に減衰器が加えられる。）電圧制御発振器ＶＣＯ７に接続されたミキサ８８でのアップコンバージョンに続いて、複合出力信号は、ＲＦフィルタ９０によってさらにフィルタリングされ、ＲＦ利得ブロック９２によって増幅され、次いでベースバンド処理のために単一の信号としてトランシーバ３２に渡される。
【００３４】
このようにして、１つのトランシーバが、複数搬送波動作を達成するために使用される。
【００３５】
この例は、５つの送信搬送波および５つの受信搬送波を使用する。他の例は、異なる数の搬送波を使用することができる。
【００３６】
デジタル処理および共通ＰＬＭＮ識別子を伴うセンサ
別の例を図６に示す。図３から図５に関連して説明したセンサと比較すると、同じ出力、すなわち、複数の搬送波にわたって複製された共通ベースバンド信号が生成されている。しかしながら、信号は、アナログ・ドメインではなく、デジタル・ドメインにおいて実装される。
【００３７】
図６に示すように、トランシーバ９４は、デジタル複製ブロック９８を介して広帯域Ｄ／Ａコンバージョン・ブロック１００に接続されたベースバンド・ユニット９６を含む。（別の類似した代替実施形態では、デジタル複製ブロックはトランシーバと離されていてもよい）。トランシーバ９４は、アンテナ１０４に接続された無線機１０２に接続されている。
【００３８】
デジタル複製ブロックは、ベースバンド信号を複製して、Ｎ個の搬送波帯域の各々において、（図６ａで示すような１で表す）本質的に同一の信号を生成する。別の言い方をすれば、放射信号は、すべての搬送波にわたって共通である。
【００３９】
上で説明したアナログのケースでのように、さまざまなネットワーク・オペレータに関連付けられたユーザ端末に受け入れ可能となるベースバンド信号を作成するために、ネットワーク間を越えてユニバーサルに受け入れ可能なＰＬＭＮ識別子が含まれる。このユニバーサルＰＬＭＮ識別子は、登録エリアの更新の間に、ネットワークによってユーザ端末に伝達され、それ以降、ユーザ端末は、そのＰＬＭＮが接続に適したものであるとみなす。ハンドオーバ（ユーザ端末がアクティブモードにあるとき）、またはセル再選択（ユーザ端末がアイドルモードにあるとき）であり得る、そのような接続を支援するために、ネットワークは、センサのアイデンティティを通知され、それにより、たとえば、セル再選択／ハンドオーバのために近傍としてのセンサへの参照を含むように、付近のセルの近傍リストが更新される。
【００４０】
デジタル方式で複製された信号は、単一の搬送波信号の少なくともＮ倍の帯域幅を有し、ここで、Ｎは、搬送波の数であることが理解されるだろう。このユニバーサル移動体通信システム（ＵＭＴＳ）の例では、デジタル方式で複製された信号が、５ＭＨｚの単一の搬送波信号と比較して、６０ＭＨｚの帯域幅を取ることができる。これを提供するために、この例におけるデジタル複製ブロック９８は、フィールド・プログラマブル・ゲート・アレイ、すなわちＦＰＧＡを含む。
【００４１】
アナログ処理をおよび複数の信号を伴うセンサ
移動ネットワーク・オペレータがユニバーサルＰＬＭＮ識別子に同意していない場合に、特に有用な代替的な手法は、信号の各々が異なるスクランブル・コードを有する信号を、搬送波ごとに発生させ、これらの信号を、送信用の単一のベースバンド信号の中に結合することである。受信では、すべての信号をダウンコンバートし、加算して、単一のベースバンド信号を提供する、対応した方法が利用される。
【００４２】
図７に示すように、センサ１０６は、トランシーバ１０８を含み、トランシーバ１０８は、Ｄ／Ａコンバージョン・ブロック１１２に接続されたベースバンド・ユニット１１０を含む。トランシーバ１１０は、アンテナ１１６に接続された無線機および複製回路１１４に接続されている。このユニバーサル移動体通信システム（ＵＭＴＳ）および広帯域符号分割多元接続（ＷＣＤＭＡ）の例では、各信号搬送波で本質的に同一の信号が生成される（各搬送波の信号を１で表す図７ａを参照されたい）。搬送波ごとの信号は、異なる主要なスクランブル・コードをそれぞれ有する。信号は、信号を加算することによって結合されて、Ｎ個の搬送波の各々で送信される単一の複合信号を生成する。
【００４３】
第１の搬送波を使用する、たとえば第１の公衆地上移動体ネットワークに属するユーザ端末は、第１の搬送波で受信された信号内で適切なＰＬＭＮ識別子を含む信号を探す。その搬送波の他の信号は、一致しないＰＬＭＮを有するため、無視されることになる。
【００４４】
それに応じて、ユーザ端末はその存在をセンサに示して、ユーザ端末を参照することによる支払い、アクセス制御などを可能にする。
【００４５】
デジタル処理および複数の信号を伴うセンサ
図６に関連して説明したものと本質的に同じハードウェアを使用して、直前に説明したアナログのケースとおおまかには同様のやり方で、共通信号が生成される。具体的には、その独自のスクランブル・コードをそれぞれ有する複数の信号が生成される。これらの信号を加算することによって結合して、単一のベースバンド信号を形成する。この信号は次いで、デジタル複製ブロックを通して渡され、同じベースバンド信号によってそれぞれ変調されるＮ個の搬送波を生成する。
【００４６】
ユーザ端末は、ブロードキャスト信号を受信し、ネットワークによってあらかじめ提供されたスクランブル・コードを使用して、ブロードキャスト信号を復号化する。ユーザ端末は次いで、復号化された信号におけるＰＬＭＮ識別子を識別し、それによりセンサに結び付く。
【００４７】
概論
いくつかの代替形態において、上のスキームは、センサが遭遇し得る各ネットワーク（ＰＬＭＮ）を包含するようにだけでなく、ＵＭＴＳ、ＧＳＭ、その他などの、センサが遭遇し得る各無線アクセス技術（ＲＡＴ）もまた包含するように適用される。スキームはまた、ＰＬＭＮが、たとえば共通ベースバンドでの複数の搬送波帯域を有する場合に、適用されてもよい。
【００４８】
本発明は、その本質的な特徴から逸脱せずに、他の特定の形態において具体化されてもよい。説明された実施形態は、すべての点において、説明的としてのみみなされるべきであり、限定的としてみなされるべきでない。したがって、本発明の範囲は、上述した説明によってではなく、添付の特許請求の範囲によって示される。特許請求項の均等物の意味および範囲内に入るすべての変更は、請求項の範囲内に含まれるものとする。
【００４９】
さまざまな上で説明した方法のステップは、プログラムされたコンピュータによって実施されてよいことを、当業者であれば容易に認識するであろう。いくつかの実施形態は、プログラム記憶デバイス、たとえばデジタルデータ記憶媒体に関し、これらは、マシン可読またはコンピュータ可読であり、マシン実行可能なまたはコンピュータ実行可能なプログラムの命令をコード化し、前記命令は、前記上で説明した方法のステップの一部または全部を実施する。プログラム記憶デバイスは、たとえば、デジタルメモリ、磁気ディスクおよび磁気テープなどの磁気記憶媒体、ハードドライブ、または光学的に可読なデジタルデータ記憶媒体であってよい。いくつかの実施形態は、上で説明した方法の前記ステップを実施するようにプログラムされたコンピュータを伴う。
【図１】
0005889410.tif 000002
【図１Ａ】
0005889410.tif 000003
【図２】
0005889410.tif 000004
【図２Ａ】
0005889410.tif 000005
【図３】
0005889410.tif 000006
【図３Ａ】
0005889410.tif 000007
【図４】
0005889410.tif 000008
【図５】
0005889410.tif 000009
【図６】
0005889410.tif 000010
【図６Ａ】
0005889410.tif 000011
【図７】
0005889410.tif 000012
【図７Ａ】
0005889410.tif 000013